(57)【特許請求の範囲】
【請求項１】
内溶液が充填された容器本体（２）と、該容器本体（２）の口筒部（３）に組み付けられる組付部（１１）及び先端面に内溶液を注出する吐出孔（１６）が穿設されたノズル部（１２）を備えた中栓体（１０）と、前記中栓体（１０）の内側に設けられ且つ前記吐出孔（１６）を閉塞する弁部（２３）及び該弁部（２３）を閉塞方向に付勢するばね片（２２）を有する弁体（２０）と、前記ノズル部（１２）の側面から側方の位置に延出される可撓性の引き伸ばし部（１５）と、を備え、
二色成形法により、外層部（１０Ｂ）と前記外層部（１０Ｂ）よりも軟質な合成樹脂材料からなる内層部（１０Ａ）とで前記中栓体（１０）を一体に形成し、前記内層部（１０Ａ）の一部を前記引き伸ばし部（１５）としたことを特徴とする塗布容器。
【請求項２】
弁体（２０）のベース部（２１）が、組付部（１１）の内面を形成する内層部（１０Ａ）に密着して固定されており、前記弁体（２０）の弁部（２３）がノズル部（１２）先端の吐出孔（１６）を形成する内層部（１０Ａ）を付勢して前記吐出孔（１６）を閉塞する請求項１記載の塗布容器。
【請求項３】
引き伸ばし部（１５）を、先端に向かうに従って徐々に広がる拡径状とした請求項１または２に記載の塗布容器。
【請求項４】
引き伸ばし部（１５）を、へら状またはスキージ状とした請求項１または２に記載の塗布容器。
【請求項５】
引き伸ばし部（１５）を、櫛歯状とした請求項１または２に記載の塗布容器。
【請求項６】
引き伸ばし部（１５）を、中栓体（１０）の表面の色とは異なる色で着色した請求項１乃至５のいずれか一項に記載の塗布容器。
【請求項７】
中栓体（１０）、引き伸ばし部（１５）及び弁体（２０）を収納するキャップ（３０）を設けた請求項１乃至６のいずれか一項に記載の塗布容器。
【発明の詳細な説明】
【技術分野】
【０００１】
本発明は、押込み型の弁体を有し、薬液などの内溶物を注出しながら皮膚等に塗布するための塗布容器に関する。
【背景技術】
【０００２】
ノズル部状の中栓体の先端に吐出孔が穿設され、押込み形の弁体を介して吐出孔を開閉することにより、容器本体内に充填されている薬液等の内容液を所要の場所（患部等）に適量塗布するための塗布容器が開発されている。
【０００３】
特許文献１は、このような従来の塗布容器の一例として、水虫などの外用薬液用の塗布容器を示すものであり、同文献に記載されているように、容器１を倒立させ、中栓２の先端に設けられた弁体３を所要の場所に押し当てて注出口２ｃを開くことにより、容器１内の薬液を注出口２ｃから所要の場所に注出して塗布することが可能となっている。
【先行技術文献】
【特許文献】
【０００４】
【特許文献１】特開２００６−２０６７４号公報
【発明の概要】
【発明が解決しようとする課題】
【０００５】
しかし、特許文献１に記載の塗布容器では、例えば所要の場所が点在しているような場合には、注出した薬液の塗布範囲（塗布面積ともいう）を広げることが必要となるが、薬液を所要の場所に適切に導くためには、指で薬液を擦りながら広げるか、または薬液を再度注出して塗布する必要がある。前者においては指が患部に触れることから衛生上の問題や揮発性が促進されやすくなるという問題があり、後者においては非効率的で多量の薬液が必要になるという問題がある。
【０００６】
他方、ヘラやテッシュペーパー等の他の部材で塗布範囲を広げることも考えられるが、このような他の部材が常に使用者の近辺にあるとは限らないし、テッシュペーパーを用いる方法では薬液が吸収されてしまって塗布範囲を広げることが難しいという問題がある。
【０００７】
本発明は、上記した従来技術における問題点を解消すべく、水虫用の薬液等の内溶液を注出させて塗布する塗布容器において、注出後の内溶液を指で直接触れることなく塗布範囲を広げることを可能とする塗布容器を創出することを課題とする。
【課題を解決するための手段】
【０００８】
上記課題を解決するための手段のうち、本発明の主たる構成は、
内溶液が充填された容器本体と、容器本体の口筒部に組み付けられる組付部及び先端面に内溶液を注出する吐出孔が穿設されたノズル部を備えた中栓体と、中栓体の内側に設けられ且つ吐出孔を閉塞する弁部及び弁部を閉塞方向に付勢するばね片を有する弁体と、ノズル部の側面から側方の位置に延出される可撓性の引き伸ばし部と、を備え、
二色成形法により、外層部とこの外層部よりも軟質な合成樹脂材料からなる内層部とで中栓体を一体に形成し、内層部の一部を引き伸ばし部とした、と云うものである。
【０００９】
本発明の主たる構成の塗布容器では、容器本体のノズル部の先端を皮膚等に押し当てることによる内溶液の注出と、注出された内溶液の塗布範囲の拡大を図る引き伸ばし部を一体に備えた塗布容器の提供を達成する。また引き伸ばし部を可撓性とすることにより、患部に優しく、皮膚等に対するフィット性の向上による効率的な塗布範囲の拡張を達成する
【００１１】
また、引き伸ばし部のみを可撓性とすることができるが、特に内層部と外層部とを二色成形法で成形することで、先端部が側方に伸び広がる引き伸ばし部の形状の効果的な成形を達成する。
【００１２】
また本発明の他の構成は、請求項１に記載の塗布容器において、弁体のベース部が、組付部の内面を形成する内層部に密着して固定されており、弁体の弁部がノズル部先端の吐出孔を形成する内層部を付勢して吐出孔を閉塞する、と云うものである。
【００１３】
上記構成では、中栓体とその内側に配置される弁体との間のシール性の向上を達成する。
【００１４】
また本発明の具体的な構成は、請求項１または２に記載の塗布容器において、引き伸ばし部を、先端に向かうに従って徐々に広がる拡径状とした、または引き伸ばし部を、へら状またはスキージ状とした、あるいは引き伸ばし部を、櫛歯状とした、と云うものである。
【００１５】
上記構成では、内容液の用途に応じ、様々な形状の引き伸ばし部の提供を達成する。
【００１６】
また本発明の他の構成は、請求項１乃至５のいずれか一項に記載の塗布容器において、引き伸ばし部を、中栓体の表面の色とは異なる色で着色した、と云うものである。
【００１７】
上記構成では、操作者に対し、引き伸ばし部の存在を視覚的に認識させることを可能とする。
【００１８】
また本発明の他の構成は、請求項１乃至６のいずれか一項に記載の塗布容器において、中栓体、引き伸ばし部及び弁体を収納するキャップを設けた、と云うものである。
【００１９】
上記構成では、吐出孔を覆うことによる衛生面の向上と、内溶液の不用意な液漏れ防止を達成する。
【発明の効果】
【００２０】
本発明は、上記した構成となっているので、以下に示す効果を奏する。
本発明の主たる構成においては、皮膚等に注出された内溶液を、指を用いることなく引き伸ばし部のみを利用して衛生的に内溶液の塗布範囲を広げることができる。また指等が触れることによって、内溶液の揮発性が促進されることをなくすことができる。
さらに引き伸ばし部が可撓性を備えるので、引き伸ばし部の先端部と皮膚等との間のフィット性が向上され、より効率的に内溶液の塗布範囲を拡張することが可能となる。
【００２１】
また二色成形法により、外層部と外層部よりも軟質な合成樹脂材料からなる内層部とで中栓体を一体に形成し、内層部の一部を引き伸ばし部としたことから、中栓体全体が比較的硬質に形成されるので、引き伸ばし部の付根部分を強化することができる一方で、引き伸ばし部先端のみに可撓性を付与して自由な撓み変形を確保して操作性の向上を図ることができる。
【００２２】
また請求項２に記載の、弁体のベース部が、組付部の内面を形成する内層部に密着して固定されており、弁体の弁部がノズル部先端の吐出孔を形成する内層部を付勢して吐出孔を閉塞する構成にあっては、内層部とその内側に配置される弁体との密着が高まりシール性を向上させることが可能となるため、内溶液の液漏れ防止効果を高めることができる。
【００２３】
また請求項３乃至５に記載の、引き伸ばし部を、先端に向かうに従って徐々に広がる拡径状とした、または引き伸ばし部を、へら状またはスキージ状とした、あるいは引き伸ばし部を、櫛歯状としたとの構成にあっては、用途に応じた最適な引き伸ばし部の形状を提供することができる。しかもそれぞれ独特の形状をしているので、引き伸ばし部の形状の認知度が向上すれば、引き伸ばし部の形状を見ただけで、塗布容器の用途を把握できるようになる。
【００２４】
また請求項６に記載の、引き伸ばし部を、中栓体の表面の色とは異なる色で着色した構成にあっては、一見しただけで、引き伸ばし部の存在を認識することが容易となるため、消費者の購買意欲を刺激することができる。
【００２５】
また請求項７に記載の、中栓体、引き伸ばし部及び弁体を収納するキャップを設けた構成では、吐出孔が外部に露出した状態に置かれることをなくなるため、衛生面の向上と、内溶液の揮発の防止を図ることができる。さらには、弁体を保護することが可能とるため、不注意等により容器本体を落としたときに弁体が押込まれて内溶液が液漏れするという現象の発生を防止できる。
【図面の簡単な説明】
【００２６】
【図１】本発明の塗布容器の第１実施例を示し、図中の左半分は正面図、右半分は半断面図である。
【図２】図１の塗布容器の頭部を拡大して示す正面図及び半断面図である。
【図３】図１の塗布容器の頭部を拡大して示し、図中の左半分は側面図、右半分は半断面図である。
【図４】キャップを外した状態を示す塗布容器の平面図である。
【図５】第１実施例の塗布容器の使用例として、内溶液注出時の様子を示す説明図である。
【図６】第１実施例の塗布容器の使用例として、図５に続いて注出後の塗布範囲を広げる様子を示す説明図である。
【図７】本発明の第２実施例として、キャップを外した状態の塗布容器を示す斜視図である。
【図８】第２実施例としての塗布容器の頭部を拡大して示すものであり、右半分は側面図、左半分は図７のＶＩＩＩ−ＶＩＩＩ線矢視相当半断面図である。
【図９】本発明の第３実施例としての塗布容器の頭部を拡大して示す図８同様の側面図及び半断面図である。
【発明を実施するための形態】
【００２７】
以下、本発明の実施の形態について図面を参照しつつ説明する。
図１は本発明の塗布容器の第１実施例を示し、図中の左半分は正面図、右半分は半断面図、図２は図１の塗布容器の頭部を拡大して示す正面図及び半断面図、図３は図１の塗布容器の頭部を拡大して示し、図中の左半分は側面図、右半分は半断面図、図４はキャップを外した状態を示す塗布容器の平面図、図５は第１実施例の塗布容器の使用例として、内溶液注出時の様子を示す説明図、図６は第１実施例の塗布容器の使用例として、図５に続いて注出後の塗布範囲を広げる様子を示す説明図である。
【００２８】
図１乃至図６に第１実施例として示す塗布容器１は、例えば水虫治療用の外用薬液（以下、内溶液という）を、皮膚や爪など所要の場所（患部）に適量塗布するための容器であり、有底円筒形状からなる容器本体２と、容器本体２の口筒部３内に組み付けられる中栓体１０と、中栓体１０が組み付けられた容器本体２の頭部に被嵌して頭部を覆い隠すように組み付けられるキャップ３０と、を有して構成される。
【００２９】
容器本体２は、例えばポリプロピレンなど比較的硬質で耐薬品性を有する合成樹脂材料で形成されており、上部に設けられた口筒部３の外周面には雄ねじ４が一体に周設されている。
【００３０】
中栓体１０は、基本的には下部側で口筒部３内に挿入される組付部１１と、上部側で口筒部３の外に設けられる先細状のノズル部１２とを有し、これらがその中間に設けられたリング状の中段部１３を介して一体に連結されて構成されている。
【００３１】
また、中栓体１０は、柔軟性に優れたエラストマー、あるいは低密度ポリエチレンなどの軟質な合成樹脂材料からなる内層部１０Ａと、例えばポリプロピレンなどの比較的硬質な合成樹脂材料からなる外層部１０Ｂとが二色成形法により積層されて一体に形成されている。すなわち、中栓体１０は、内層部１０Ａが二色成形法における１次成形で形成され、外層部１０Ｂが２次成形されることにより一体成形されている。
【００３２】
ノズル部１２先端の端面には内部に貫通する吐出孔１６が穿設されている。またノズル部１２の下端には、この下端に基部１５ａが形成され、先端部１５ｂをこの基部１５ａから先端に向かうほど徐々に側方に広がるように延出されてなる拡径状（ラッパ状またはホーン状ともいう）の引き伸ばし部１５が一体に形成されている。つまり、拡径状の引き伸ばし部１５の中央にノズル部１２が配置されている。
【００３３】
引き伸ばし部１５の軸対称となる位置には、窓部１４，１４が開設されている（図２及び図３参照）。上述のように、中栓体１０を構成するノズル部１２は二色成形法により形成されるが、窓部１４，１４及び引き伸ばし部１５は、図示しない１次金型内に軟質な合成樹脂材料を流し込んで内層部１０Ａを形成する１次成形において一緒に形成される。
【００３４】
そして、続く２次成形において、図示しない２次金型と内層部１０Ａとの間に比較的硬質な合成樹脂材料を流し込み、内層部１０Ａの外面に外層部１０Ｂを一体に積層させることにより中栓体１０が形成される。この２次成形においては、比較的硬質な合成樹脂材料を、例えば組付部１１側から窓部１４，１４を通じてノズル部１２側に流し込むことにより形成することができる。
なお、図３の右側の半断面図は、窓部１４内が外層部１０Ｂを構成する比較的硬質な合成樹脂材料が埋まっている状態を示している。
【００３５】
このような二色成形法を用いることにより、先端部１５ｂがノズル部１２の側方おいて伸び広がる引き伸ばし部１５の形状を効率的に成形することが可能である。また引き伸ばし部１５は、軟質な合成樹脂材料からなる内層部１０Ａで形成されているため、皮膚等に対する接触に際しては容易に撓み変形することが可能となっている。
【００３６】
弁体２０は、上下開放の円筒状のベース部２１と、螺旋状のばね片２２、２２と、テーパー状の弁部２３、及び上端の突出部２４とを有して構成され、これらは比較的高弾性を発揮する合成樹脂材料により一体で形成されている。
【００３７】
キャップ３０は有頂円筒形状に形成され、下部３１側の内周面に容器本体２側の雄ねじ４に螺合する雌ねじ３２が刻設されている。このキャップ３０内の側部には、引き伸ばし部１５を収容するための収納スペース３３が設けられている。
なお、引き伸ばし部１５は、収納スペース３３内に収まる高さ方向の寸法及び径方向の寸法で形成されている。
【００３８】
次に、塗布容器の組立て方法について説明する。
図２に示すように、弁体２０はベース部２１を中栓体１０の組付部１１の内側に密着させ、高さ方向にばね片２２、２２を圧縮させた状態で中栓体１０内に内装させる。ばね片２２、２２によって付勢された弁部２３が、これに対向する中栓体１０側のノズル部１２上端側の傾斜面１７に当接することにより、吐出孔１６が閉塞状態に設定される。また突出部２４が下部側から吐出孔１６に挿入されており、突出部２４の先端は吐出孔１６の外部に突出している。
【００３９】
容器本体２の内部に内容液を充填した後、弁体２０が内装された中栓体１０は組付部１１を容器本体２の口筒部３内に圧入し、中段部１３の下面が口筒部３の上端に当接する位置まで押し入れることにより装着される。そして、キャップ３０を容器本体２の頭部に螺着させることにより、容器本体２の頭部に設けられた中栓体１０、引き伸ばし部１５及び弁体２０の突出部２４が被覆される。これにより、皮膚等に直接触れるノズル部１２先端の衛生面の向上を図ることができ、また内溶液の揮発を抑えることができる。さらには、ノズル部１２先端の弁体２０を保護することが可能となるため、誤って塗布容器１を落下させてしまったときに、弁体２０が押し込まれて内溶液が液漏れすることを防止することが可能となる。
【００４０】
なお、弁体２０のベース部２１と中栓体１０側の組付部１１とが環帯状に密着する部分が下部シール部Ｓ１を構成し、弁部２３と中栓体１０側の傾斜面１７とが環状に当接部分する部分が上部シール部Ｓ２を構成している。下部シール部Ｓ１の傾斜面１７及び上部シール部Ｓ２側の組付部１１の内面は、共に軟質な合成樹脂材料である内層部１０Ａで構成されている。このため、この下部シール部Ｓ１と上部シール部Ｓ２におけるシール性を高め、液漏れを効果的に防止することが可能となっている。
【００４１】
次に、第１実施例に示す塗布容器の使用方法について説明する。
図５に示すように、キャップ３０を外した状態の塗布容器１を倒立姿勢に設定し、ノズル部１２の先端側を皮膚や爪等の所要の場所（患部）に当接させ、図５中の白抜き矢印の方向に押し付ける。
【００４２】
この操作により、突出部２４がばね片２２、２２の付勢力に抗して容器本体２の内部方向（図５中の黒矢印方向）に押し込まれ、上部シール部Ｓ２を構成する弁体２０側の弁部２３がノズル部１２側の傾斜面１７から離れて吐出孔１６の閉塞状態が解除されるため、内溶液Ｌを所要の場所に注出させることができる。
なお、内溶液Ｌは容器本体２から弁体２０の内側を通り、ばね片２２間の上下の隙間を介してノズル部１２の内面と弁体２０の外部との間の形成される隙間に流入し、さらにこの隙間から開放した吐出孔１６を通じて外部に吐出されることになる。
【００４３】
次に、図６に示すように、容器本体２を傾けて傾斜姿勢に設定し、引き伸ばし部１５の先端部１５ｂを前後方向または左右方向に動かしつつ注出後の内溶液Ｌを側方に引き伸ばす。この操作により、内溶液Ｌの塗布範囲を広げることができる。
【００４４】
このように、第１実施例では、内溶液Ｌの注出後、容器本体２を傾けて前後左右にわずかに移動させるだけで、内溶液Ｌの塗布範囲を容易且つ衛生的に拡大させることができるようになる。しかも、引き伸ばし部１５は可撓性を有することから、吐出孔１６の中心方向に容易に撓んでソフトな肌触り感触を与えるため、使用者に与える痛みを緩和できる。
また引き伸ばし部１５は皮膚等にフィットしやすく、内溶液Ｌを効率良く引き伸ばすことが可能であるため、内溶液Ｌの塗布面積をより広範囲とすることができる。
【００４５】
図７は本発明の第２実施例として、キャップを外した状態の塗布容器を示す斜視図、図８は第２実施例としての塗布容器の頭部を拡大して示すものであり、右半分は側面図、左半分は図７のＶＩＩＩ−ＶＩＩＩ線矢視相当半断面図である。
【００４６】
第２実施例に示す塗布容器１が、第１実施例に示す塗布容器１と異なる点は、引き伸ばし部１５の構成にあり、その他の構成は上記第１実施例と同様である。よって、以下の説明では主に第１実施例と異なる点を説明する。なお同一の部材については同一の符号を付して説明する。
【００４７】
図７及び図８に示すように、第２実施例として示す塗布容器１の引き伸ばし部１５は、中栓体１０のノズル部１２の側面側に基部１５ａを有し、この基部１５ａから先端部１５ｂが側方に向かうへら状（スキージ状ともいう）の部位として構成される。
【００４８】
第２実施例においても、中栓体１０は、軟質な合成樹脂材料からなる内層部１０Ａとそれよりも硬質な合成樹脂材料からなる外層部１０Ｂとが二色成形法により積層されて一体に形成されており、内層部１０Ａの一部がノズル部１２表面の外部（外層部１０Ｂの外部）に延出しており、この側方に延出した部分が引き伸ばし部１５となっている。第２実施例における引き伸ばし部１５も可撓性を有し、その先端部１５ｂはソフトな肌触り感触を与えるもので、第１実施例同様の効果を奏するものである。
【００４９】
図９は本発明の第３実施例としての塗布容器の頭部を拡大して示す図８同様の側面図及び半断面図である。
第３実施例に示す塗布容器１が、第１実施例に示す塗布容器１と異なる点も引き伸ばし部１５の構成にあり、その他の構成は上記第１実施例と同様である。
【００５０】
図９に示すように、第３実施例として示す塗布容器１の引き伸ばし部１５は、中栓体１０のノズル部１２の側面側に基部１５ａを有し、この基部１５ａから先端部１５ｂが側方に向かって延びる複数の櫛歯片１５Ａからなる櫛歯状の部位として構成される。
【００５１】
第３実施例においても、中栓体１０は、軟質な合成樹脂材料からなる内層部１０Ａとそれよりも硬質な合成樹脂材料からなる外層部１０Ｂとが二色成形法により積層されて一体に形成されており、内層部１０Ａの一部がノズル部１２表面の外部（外層部１０Ｂの外部）に延出しており、この側方に延出した部分が引き伸ばし部１５となっている。第３実施例における引き伸ばし部１５も、上記同様に可撓性を有し、その先端部１５ｂはソフトな肌触り感触を与えるもので、第１実施例同様の効果を奏するものである。
【００５２】
以上、実施例に沿って本発明の構成とその作用効果について説明したが、本発明の実施の形態は上記実施例に限定されるものではない。
例えば上記実施例では、拡径状、へら状及び櫛歯状の引き伸ばし部１５を示して説明したが、その他の形状であってもよい。
【００５３】
また上記各実施例では、拡径状、へら状及び櫛歯状等からなる引き伸ばし部１５の色については特に言及していないが、引き伸ばし部１５を中栓体１０のノズル部１２の表面（外層部１０Ｂ）の色とは異なる色で着色すると、引き伸ばし部１５の存在を視覚的に使用者に認識させて知らしめることにより、消費者の購買意欲を刺激することができる点で好ましい。
このように引き伸ばし部１５に着色を施す場合には、内層部１０Ａと外層部１０Ｂとを同材質で形成してもよい。
【００５４】
なお、内溶液Ｌの塗布範囲の拡張を図る上ではキャップ３０は必須の構成要件ではないが、衛生面の向上、揮発及び液漏れの防止の観点からキャップ３０を設けた構成が好ましい。
【産業上の利用可能性】
【００５５】
本発明は、注出後の内溶液の塗布範囲を衛生的且つ効率的に広げるため塗布容器の分野における用途展開をさらに広い領域で図ることができる。
【符号の説明】
【００５６】
１    ；  塗布容器
２    ；  容器本体
３    ；  口筒部
４    ；  雄ねじ
１０  ；  中栓体
１０Ａ；  内層部
１０Ｂ；  外層部
１１  ；  組付部
１２  ；  ノズル部
１３  ；  中段部
１４  ；  窓部
１５  ；  引き伸ばし部
１５ａ；  基部（引き伸ばし部）
１５ｂ；  先端部（引き伸ばし部）
１５Ａ；  櫛歯片
１６  ；  吐出孔
１７  ；  傾斜面
２０  ；  弁体
２１  ；  ベース部
２２  ；  ばね片
２３  ：  弁部
２４  ；  突出部
３０  ；  キャップ
３１  ；  キャップ下部
３２  ；  雌ねじ
３３  ；  収納スペース
Ｌ    ；  内溶液
Ｓ１  ；  下部シール部
Ｓ２  ；  上部シール部
【図１】
0005783488.tif 000002
【図２】
0005783488.tif 000003
【図３】
0005783488.tif 000004
【図４】
0005783488.tif 000005
【図５】
0005783488.tif 000006
【図６】
0005783488.tif 000007
【図７】
0005783488.tif 000008
【図８】
0005783488.tif 000009
【図９】
0005783488.tif 000010